(57)【要約】【課題】ストリームに内在する不具合によって出画装置に番組やＣＭなどのコンテンツが正確に表示されていないことを外部の放送事業者などへ通知することを目的とする。【解決手段】ＲＦ信号を復調し多重ストリームを出力するチューナ/復調部２と、多重ストリームを分離しストリームと番組情報を出力するストリーム分離部３と、ストリームをデコードし映像信号を出力するデコード部４と、ストリームのデコードが失敗したことを検出しデコードエラーを出力するデコードエラー検出部５と、映像信号の視聴番組情報を出力する番組情報管理部７と、デコードエラーが入力されたときに、時間管理部９の日時情報と番組情報管理部７の視聴番組情報と端末固有情報管理部１０の端末識別情報を取得して視聴エラー情報を生成し出力する視聴エラー情報生成部８と、視聴エラー情報生成部から視聴エラー情報を入力して装置外部へ送信する視聴エラー情報送信部１１を備える。【選択図】図１
2008271022.tif 000002
【特許請求の範囲】
【請求項１】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して装置外部へ送信する視聴エラー情報送信部とを備えた放送受信装置。
【請求項２】
前記チューナ/復調部は、エラーが発生した場合にチューナ/復調エラーを出力し、
前記視聴エラー情報生成部は、前記チューナ/復調エラーまたは前記デコードエラーをエラー要因とし、前記日時情報と前記視聴番組情報と前記端末識別情報と前記エラー要因から前記視聴エラー情報を生成し、前記視聴エラー情報送信部へ出力する請求項１に記載の放送受信装置。
【請求項３】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して記録した上で出力し、送信エラー信号が入力された場合に前記視聴エラー情報を再送信する視聴エラー情報蓄積部と、
前記視聴エラー情報蓄積部から前記視聴エラー情報を入力して装置外部へ送信し、前記視聴エラー情報の送信に失敗した場合に前記送信エラー信号を前記視聴エラー情報蓄積部に出力する視聴エラー情報送信部とを備えた放送受信装置。
【請求項４】
前記番組情報管理部は、入力される番組情報内に含まれる要因に応じて送信許可信号または送信禁止信号を前記視聴エラー情報蓄積部に出力し、
前記視聴エラー情報蓄積部は、入力される前記送信許可信号または前記送信禁止信号に応じて前記視聴エラー情報送信部に対する前記視聴エラー情報の出力を制御する請求項３に記載の放送受信装置。
【請求項５】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
外部からの入力に応じて送信禁止信号、送信許可信号を出力する外部入力Ｉ／Ｆ部と、
前記視聴エラー情報生成部から前記視聴エラー情報を入力して記録した上で出力し、送信エラー信号が入力された場合に前記視聴エラー情報を再送信し、前記外部入力Ｉ／Ｆ部から入力される前記送信許可信号または前記送信禁止信号に応じて前記視聴エラー情報の出力を制御する視聴エラー情報蓄積部と、
前記視聴エラー情報蓄積部から前記視聴エラー情報を入力して装置外部へ送信し、前記視聴エラー情報の送信に失敗した場合に前記送信エラー信号を前記視聴エラー情報蓄積部に出力する視聴エラー情報送信部とを備えた放送受信装置。
【請求項６】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して圧縮し、圧縮された視聴エラー情報を出力する視聴エラー情報圧縮部と
前記視聴エラー情報圧縮部から前記圧縮された視聴エラー情報を入力して装置外部へ送信する視聴エラー情報送信部とを備えた放送受信装置。
【請求項７】
前記視聴エラー情報圧縮部は、前記圧縮された視聴エラー情報が基準量に到達したタイミングで前記圧縮された視聴エラー情報を前記視聴エラー情報送信部へ出力する請求項６に記載の放送受信装置。
【請求項８】
前記時間管理部は、任意のタイミングで前記視聴エラー情報圧縮部へ送信要求信号を出力し、
前記視聴エラー情報圧縮部は、前記送信要求信号が入力されると前記圧縮された視聴エラー情報を前記視聴エラー情報送信部へ出力する請求項６に記載の放送受信装置。
【請求項９】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力し、入力される番組情報内に含まれる要因に応じて即時送出信号または蓄積送出信号を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部による前記視聴エラー情報を入力して圧縮し、圧縮された視聴エラー情報を出力する視聴エラー情報圧縮部と、
前記視聴エラー情報圧縮部による前記圧縮された視聴エラー情報または前記視聴エラー情報生成部による前記視聴エラー情報を入力して装置外部へ送信する視聴エラー情報送信部と、
前記番組情報管理部から入力される前記即時送出信号または前記蓄積送出信号に応じて、前記視聴エラー情報生成部から入力される前記視聴エラー情報の出力先を前記視聴エラー情報圧縮部と前記視聴エラー情報送信部とに切り換える視聴エラー情報送出タイミング切換え部とを備えた放送受信装置。
【請求項１０】
前記視聴エラー情報送信部は、前記圧縮された視聴エラー情報よりも圧縮を受けない視聴エラー情報を優先して送信する請求項９に記載の放送受信装置。
【請求項１１】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部による前記視聴エラー情報を入力して圧縮し、圧縮された視聴エラー情報を出力する視聴エラー情報圧縮部と、
前記視聴エラー情報圧縮部による前記圧縮された視聴エラー情報または前記視聴エラー情報生成部による前記視聴エラー情報を入力して装置外部へ送信する視聴エラー情報送信部と、
外部からの入力に応じて即時送出信号または蓄積送出信号を出力する外部入力Ｉ／Ｆ部と、
前記外部入力Ｉ／Ｆ部から入力される前記即時送出信号または前記蓄積送出信号に応じて、前記視聴エラー情報生成部から入力される前記視聴エラー情報の出力先を前記視聴エラー情報圧縮部と前記視聴エラー情報送信部とに切り換える視聴エラー情報送出タイミング切換え部とを備えた放送受信装置。
【請求項１２】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力し、入力される番組情報内に含まれる要因に応じてエラー処理許可信号またはエラー処理禁止信号を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して装置外部へ送信する視聴エラー情報送信部と、
前記番組情報管理部から入力される前記エラー処理許可信号または前記エラー処理禁止信号に応じて、前記デコードエラー検出部からのデコードエラーを前記視聴エラー情報生成部へ出力するか制御するエラー処理制御部とを備えた放送受信装置。
【請求項１３】
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して装置外部へ送信する視聴エラー情報送信部と、
外部からの入力に応じてエラー処理許可信号またはエラー処理禁止信号を出力する外部入力Ｉ／Ｆ部と、
前記外部入力Ｉ／Ｆ部から入力される前記エラー処理許可信号または前記エラー処理禁止信号に応じて、前記デコードエラー検出部からのデコードエラーを前記視聴エラー情報生成部へ出力するか制御するエラー処理制御部とを備えた放送受信装置。
【発明の詳細な説明】
【技術分野】
【０００１】
本発明は、双方向通信が可能な放送受信装置に関する。
【背景技術】
【０００２】
現在、双方向通信機能をもつ放送受信装置が普及しつつある。双方向通信とは、放送受信装置に対し、放送波やケーブルなどによる多重ストリームに含まれる番組やＣＭなどのコンテンツを通信する通信経路とは別に、電話回線などの通信経路を接続することにより、放送受信装置から外部へ情報を送信する仕組みである。双方向通信の用途として、主にペイ・パー・ビュー形式の有料放送サービスの視聴データ送信や、データ放送におけるアンケートの回答や応募データの送信、インターネットへの接続等がある。この双方向通信で使用される通信経路を利用することで、放送受信装置に不具合が発生した場合に、リモート操作による保守を行う装置として、特許文献１が提案されている。
【特許文献１】特開２００６−８１２１１号公報（第４−９頁、第１−３図）
【発明の開示】
【発明が解決しようとする課題】
【０００３】
特許文献１では、ペイ・パー・ビュー形式の有料放送サービスの課金に必要な視聴結果情報を放送受信装置の外部へ送信する仕組みを利用して、放送受信装置のハードウェアの故障やソフトウェア自身の不具合をエラーメッセージとして送信する。これにより、放送受信装置に対してリモート保守を行うことができる。
【０００４】
しかし、放送受信装置上で発生する不具合は、放送受信装置のハードウェアの故障やソフトウェア自身の不具合だけでなく、ストリームに内在する不具合によって引き起こされるものもある。そこで、ストリームに内在する不具合に対しても保守などの対応が必要となる。
【０００５】
本発明は、このような事情に鑑みて創作したものであり、ストリームに内在するエラーによってコンテンツの出画が正確に表示されていないことを適切に外部へ送信することができる放送受信装置を提供することを目的としている。
【課題を解決するための手段】
【０００６】
（１）本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して装置外部へ送信する視聴エラー情報送信部とを備えたものである。
【０００７】
この構成によれば、ストリームのデコード時にエラーが発生した場合に、エラー発生時の表示装置に出画中のコンテンツの視聴番組情報、エラー発生時の日時情報、端末識別情報を結合した視聴エラー情報を生成し、放送受信装置の外部へ送信する。これにより、特定の放送受信装置においてストリームのデコード時のエラーによってコンテンツが正確に表示されなかったことを放送事業者などへ通知することが可能となる。結果として、視聴エラー情報を用いたサービスとしてビデオオンデマンド（ＶＯＤ）等を想定した視聴料金の値引きや、コンテンツおよびコンテンツ内の一部シーンの再送信が可能となる。また、コンテンツを正確に放送受信装置上で出画したことを証明することができるため、ＣＭ提携企業へのＣＭの出画証明が可能となる。
【０００８】
（２）上記構成の放送受信装置において、前記チューナ/復調部は、エラーが発生した場合にチューナ/復調エラーを出力し、前記視聴エラー情報生成部は、前記チューナ/復調エラーまたは前記デコードエラーをエラー要因とし、前記日時情報と前記視聴番組情報と前記端末識別情報と前記エラー要因から前記視聴エラー情報を生成し、前記視聴エラー情報送信部へ出力するという態様がある。
【０００９】
このように構成すれば、ストリームのデコード時のエラーだけでなく、チューナ/復調部で行われる処理によってエラーが発生した場合に、エラー発生時の出画中のコンテンツの視聴番組情報、エラー発生時の日時情報、端末識別情報、エラー要因から視聴エラー情報を生成し、外部へ送信することで、チューナ/復調部で発生したエラーによってコンテンツが正確に表示されなかったことを放送事業者などへ通知することが可能となる。これにより、天候不良や電波障害などによる受信ＣＮ比の低下によって正確に表示されなかったコンテンツに対しても、上記サービスが可能となる。
【００１０】
（３）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して記録した上で出力し、送信エラー信号が入力された場合に前記視聴エラー情報を再送信する視聴エラー情報蓄積部と、
前記視聴エラー情報蓄積部から前記視聴エラー情報を入力して装置外部へ送信し、前記視聴エラー情報の送信に失敗した場合に前記送信エラー信号を前記視聴エラー情報蓄積部に出力する視聴エラー情報送信部とを備えたものである。
【００１１】
このように構成すれば、外部に対して視聴エラー情報の送信が完了するまで、視聴エラー情報を記録装置にバッファリングするので、視聴エラー情報を確実に外部に送信することが可能となる。
【００１２】
（４）上記の視聴エラー情報蓄積部に言及した放送受信装置において、前記番組情報管理部は、入力される番組情報内に含まれる要因に応じて送信許可信号または送信禁止信号を前記視聴エラー情報蓄積部に出力し、前記視聴エラー情報蓄積部は、入力される前記送信許可信号または前記送信禁止信号に応じて前記視聴エラー情報送信部に対する前記視聴エラー情報の出力を制御するという態様がある。
【００１３】
このように構成すれば、番組情報に含まれる送信許可要因または送信禁止要因に応じて外部に対する視聴エラー情報の送信制御を許可および禁止する。これにより、視聴エラー情報を受信する装置がメンテナンス等により視聴エラー情報の受信ができない場合に、放送事業者が、番組情報における送信許可要因・送信禁止要因によって放送受信装置からの視聴エラー情報の送信を一時的に停止することが可能となる。
【００１４】
（５）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
外部からの入力に応じて送信禁止信号、送信許可信号を出力する外部入力Ｉ／Ｆ部と、
前記視聴エラー情報生成部から前記視聴エラー情報を入力して記録した上で出力し、送信エラー信号が入力された場合に前記視聴エラー情報を再送信し、前記外部入力Ｉ／Ｆ部から入力される前記送信許可信号または前記送信禁止信号に応じて前記視聴エラー情報の出力を制御する視聴エラー情報蓄積部と、
前記視聴エラー情報蓄積部から前記視聴エラー情報を入力して装置外部へ送信し、前記視聴エラー情報の送信に失敗した場合に前記送信エラー信号を前記視聴エラー情報蓄積部に出力する視聴エラー情報送信部とを備えたものである。
【００１５】
このように構成すれば、放送受信装置の外部からの入力によって視聴エラー情報の送信の許可と禁止を制御することにより、視聴エラー情報の送信の通信経路が不安定な区間における視聴エラー情報の送信ミスの多発や、放送波の受信が不安定な区間における番組再送信時のさらなるエラー発生を未然に防ぐために、区間内において視聴エラー情報の送信を一時的に停止することが可能となる。
【００１６】
（６）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して圧縮し、圧縮された視聴エラー情報を出力する視聴エラー情報圧縮部と
前記視聴エラー情報圧縮部から前記圧縮された視聴エラー情報を入力して装置外部へ送信する視聴エラー情報送信部とを備えたものである。
【００１７】
このように構成すれば、視聴エラー情報を記録装置に圧縮して記録し、任意のタイミングで放送受信装置の外部へ送信することで、視聴エラー情報の送信量を軽減することが可能となる。
【００１８】
（７）上記の視聴エラー情報圧縮部に言及した放送受信装置において、前記視聴エラー情報圧縮部は、前記圧縮された視聴エラー情報が基準量に到達したタイミングで前記圧縮された視聴エラー情報を前記視聴エラー情報送信部へ出力するという態様がある。このように構成すれば、視聴エラー情報を圧縮して送信する際、基準量に到達しなかったことによる圧縮された視聴エラー情報の未送信を回避することが可能となる。
【００１９】
（８）上記の視聴エラー情報圧縮部に言及した放送受信装置において、前記時間管理部は、任意のタイミングで前記視聴エラー情報圧縮部へ送信要求信号を出力し、前記視聴エラー情報圧縮部は、前記送信要求信号が入力されると前記圧縮された視聴エラー情報を前記視聴エラー情報送信部へ出力するという態様がある。このように構成すれば、視聴エラー情報を圧縮して送信する際、送信タイミングを任意の時間で管理することにより、基準量に到達しなかったことによる圧縮された視聴エラー情報の未送信を回避することが可能となる。
【００２０】
（９）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力し、入力される番組情報内に含まれる要因に応じて即時送出信号または蓄積送出信号を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部による前記視聴エラー情報を入力して圧縮し、圧縮された視聴エラー情報を出力する視聴エラー情報圧縮部と、
前記視聴エラー情報圧縮部による前記圧縮された視聴エラー情報または前記視聴エラー情報生成部による前記視聴エラー情報を入力して装置外部へ送信する視聴エラー情報送信部と、
前記番組情報管理部から入力される前記即時送出信号または前記蓄積送出信号に応じて、前記視聴エラー情報生成部から入力される前記視聴エラー情報の出力先を前記視聴エラー情報圧縮部と前記視聴エラー情報送信部とに切り換える視聴エラー情報送出タイミング切換え部とを備えたものである。
【００２１】
（１０）上記の視聴エラー情報送出タイミング切換え部に言及した放送受信装置において、前記視聴エラー情報送信部は、前記圧縮された視聴エラー情報よりも圧縮を受けない視聴エラー情報を優先して送信するという態様がある。
【００２２】
上記の構成によれば、番組情報に含まれる即時送信要因または蓄積送信要因に応じて、視聴エラー情報を外部へ即時に送信するか圧縮して送信するか切り換える。これにより、放送事業者が視聴エラー情報の送信方法を切り換えることが可能となり、例えば番組中の１シーンを見逃すことで以降の番組内容の価値が減少してしまうような番組に対し即時に対応することが可能となる。
【００２３】
（１１）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部による前記視聴エラー情報を入力して圧縮し、圧縮された視聴エラー情報を出力する視聴エラー情報圧縮部と、
前記視聴エラー情報圧縮部による前記圧縮された視聴エラー情報または前記視聴エラー情報生成部による前記視聴エラー情報を入力して装置外部へ送信する視聴エラー情報送信部と、
外部からの入力に応じて即時送出信号または蓄積送出信号を出力する外部入力Ｉ／Ｆ部と、
前記外部入力Ｉ／Ｆ部から入力される前記即時送出信号または前記蓄積送出信号に応じて、前記視聴エラー情報生成部から入力される前記視聴エラー情報の出力先を前記視聴エラー情報圧縮部と前記視聴エラー情報送信部とに切り換える視聴エラー情報送出タイミング切換え部とを備えたものである。
【００２４】
このように構成すれば、放送受信装置の外部から、視聴エラー情報を即時に送信するか圧縮してから送信するか切り換えることができるので、リモコンＩ／Ｆなどを用いて、ユーザーの意思により視聴エラー情報の送出タイミングを制御することが可能となる。
【００２５】
（１２）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力し、入力される番組情報内に含まれる要因に応じてエラー処理許可信号またはエラー処理禁止信号を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して装置外部へ送信する視聴エラー情報送信部と、
前記番組情報管理部から入力される前記エラー処理許可信号または前記エラー処理禁止信号に応じて、前記デコードエラー検出部からのデコードエラーを前記視聴エラー情報生成部へ出力するか制御するエラー処理制御部とを備えたものである。
【００２６】
このように構成すれば、番組情報に含まれるエラー処理許可要因またはエラー処理禁止要因に応じて、ストリームのデコード時にエラーが発生したことによる視聴エラー情報の生成を許可および禁止する。これにより、放送事業者が特定のコンテンツおよびコンテンツ内の特定シーンに限定した視聴エラー情報の取得が可能になり、視聴エラー情報の送信量を軽減することが可能となる。
【００２７】
（１３）また、本発明による放送受信装置は、
入力されるＲＦ信号から所望のデジタル放送信号を取り出して復調し、多重ストリームを出力するチューナ/復調部と、
前記チューナ/復調部から出力された多重ストリームを分離し、ストリームと番組情報を出力するストリーム分離部と、
前記ストリーム分離部から出力されたストリームをデコードし、映像信号を出力するデコード部と、
前記デコード部によるストリームのデコードが失敗したことを検出し、デコードエラーを出力するデコードエラー検出部と、
前記映像信号の視聴番組情報を出力する番組情報管理部と、
日時情報を出力する時間管理部と、
端末識別情報を出力する端末固有情報管理部と、
前記デコードエラーが入力されたときに、デコードエラー入力時の前記日時情報と前記視聴番組情報と前記端末識別情報を取得し、前記日時情報と前記視聴番組情報と前記端末識別情報から視聴エラー情報を生成し、前記視聴エラー情報を出力する視聴エラー情報生成部と、
前記視聴エラー情報生成部から前記視聴エラー情報を入力して装置外部へ送信する視聴エラー情報送信部と、
外部からの入力に応じてエラー処理許可信号またはエラー処理禁止信号を出力する外部入力Ｉ／Ｆ部と、
前記外部入力Ｉ／Ｆ部から入力される前記エラー処理許可信号または前記エラー処理禁止信号に応じて、前記デコードエラー検出部からのデコードエラーを前記視聴エラー情報生成部へ出力するか制御するエラー処理制御部とを備えたものである。
【００２８】
このように構成すれば、放送受信装置の外部から、ストリームのデコード時にエラーが発生したことによる視聴エラー情報の生成を許可および禁止する。つまり、外部からの入力により、視聴エラー情報の生成・送信を行うエラー処理を実施するかを制御することで、個人情報保護の観点で、ユーザーが視聴エラー情報の生成・送信を制御することが可能となる。
【発明の効果】
【００２９】
本発明によれば、ストリームのデコード時にエラーが発生した場合、エラー発生時の出画中のコンテンツの視聴番組情報、エラー発生時の日時情報、端末識別情報を結合した視聴エラー情報を外部へ送信することで、特定の放送受信装置においてストリームのデコード時のエラーによってコンテンツが正確に表示されなかったことを放送事業者などへ通知することが可能となる。これにより、視聴エラー情報を用いたサービスとしてビデオオンデマンド（ＶＯＤ）等を想定した視聴料金の値引きや、コンテンツおよびコンテンツ内の一部シーンの再送信が可能となる。
【００３０】
また、コンテンツを正確に放送受信装置上で出画したことを証明することができるため、ＣＭ提携企業へのＣＭの出画証明が可能となる。
【発明を実施するための最良の形態】
【００３１】
以下、本発明にかかわる放送受信装置の実施の形態を図面を用いて詳細に説明する。
【００３２】
（実施の形態１）
以下、本発明の実施の形態１における放送受信装置について図１から図３を用いて説明する。図１は本発明の実施の形態１における放送受信装置の構成を示すブロック図である。この放送受信装置は、放送受信アンテナ１、チューナ/復調部２、ストリーム分離部３、デコードエラー検出部５を有するデコード部４、表示装置６、番組情報管理部７、視聴エラー情報生成部８、時間管理部９、端末固有情報管理部１０および視聴エラー情報送信部１１から構成されている。
【００３３】
チューナ/復調部２は、放送受信アンテナ１を介してＲＦ信号Ｄ１を受信すると、ストリーム分離部３へ多重ストリームＤ２を出力するように構成されている。ストリーム分離部３は、多重ストリームＤ２が入力されると、デコード部４へストリームＤ３を出力し、番組情報管理部７へ番組情報Ｄ５を出力するように構成されている。デコード部４は、ストリームＤ３を入力すると、ストリームＤ３をデコードし、表示装置６へ映像信号Ｄ４を出力するように構成されている。表示装置６は、映像信号Ｄ４を表示するように構成されている。
【００３４】
デコードエラー検出部５は、デコード部４がストリームＤ３をデコードする際に発生するエラーを検知し、視聴エラー情報生成部８へデコードエラーＤ６を出力するように構成されている。番組情報管理部７は、視聴エラー情報生成部８から視聴番組情報要求信号Ｄ９が入力されると、番組情報Ｄ５から表示装置６に表示中の番組情報である視聴番組情報Ｄ１０を視聴エラー情報生成部８へ出力するように構成されている。視聴エラー情報生成部８は、デコードエラー検出部５からデコードエラーＤ６が入力されると、時間管理部９へ日時情報要求信号Ｄ７を出力し、時間管理部９から日時情報Ｄ８を入力するとともに、番組情報管理部７へ視聴番組情報要求信号Ｄ９を出力し、番組情報管理部７から視聴番組情報Ｄ１０を入力し、端末固有情報管理部１０へ端末識別情報要求信号Ｄ１１を出力し、端末固有情報管理部１０から端末識別情報Ｄ１２を入力し、入力した日時情報Ｄ８、視聴番組情報Ｄ１０および端末識別情報Ｄ１２から視聴エラー情報Ｄ１３を生成し、生成した視聴エラー情報Ｄ１３を視聴エラー情報送信部１１へ出力するように構成されている。
【００３５】
時間管理部９は、視聴エラー情報生成部８から日時情報要求信号Ｄ７を入力すると、日時情報Ｄ８を視聴エラー情報生成部８へ出力するように構成されている。端末固有情報管理部１０は、視聴エラー情報生成部８から端末識別情報要求信号Ｄ１１が入力されると、端末識別情報Ｄ１２を視聴エラー情報生成部８へ出力するように構成されている。視聴エラー情報送信部１１は、視聴エラー情報生成部８から視聴エラー情報Ｄ１３が入力されると、その視聴エラー情報Ｄ１４を放送受信装置の外部へ送信するように構成されている。
【００３６】
図２は本発明の実施の形態１における視聴エラー情報生成部８の処理を示すフローチャートである。
【００３７】
視聴エラー情報生成部８は、デコードエラーＤ６が入力されると、ステップＳ１の処理を開始する。
【００３８】
ステップＳ２において、視聴情報取得処理を実施する。詳細は、後述の図３で説明する。
【００３９】
ステップＳ３において、ステップＳ２で取得した視聴情報を基に視聴エラー情報Ｄ１３を生成する。
【００４０】
ステップＳ４において、ステップＳ３で生成した視聴エラー情報Ｄ１３を視聴エラー情報送信部１１へ出力する。
【００４１】
ステップＳ５において、処理を終了する。
【００４２】
図３は本発明の実施の形態１における視聴情報取得処理を示すフローチャートである。
【００４３】
ステップＳ１１において、視聴情報取得処理を開始する。
【００４４】
ステップＳ１２において、時間管理部９へ日時情報要求信号Ｄ７を出力する。
【００４５】
ステップＳ１３において、時間管理部９から日時情報Ｄ８を取得する。
【００４６】
ステップＳ１４において、番組情報管理部７へ視聴番組情報要求信号Ｄ９を出力する。
【００４７】
ステップＳ１５において、番組情報管理部７から視聴番組情報Ｄ１０を取得する。
【００４８】
ステップＳ１６において、端末固有情報管理部１０へ端末識別情報要求信号Ｄ１１を出力する。
【００４９】
ステップＳ１７において、端末固有情報管理部１０から端末識別情報Ｄ１２を取得する。
【００５０】
ステップＳ１８において、処理を終了する。
【００５１】
以上のように本実施の形態によれば、デコード部４におけるストリームＤ３のデコードエラー発生時に、放送受信装置からデコードエラー発生時の視聴番組情報、日時情報および端末識別情報を含む視聴エラー情報Ｄ１４を送信することにより、特定の放送受信装置上で発生したデコードエラーにより正しく出画されなかったコンテンツの特定シーンを放送事業者などで把握でき、これにより視聴エラー情報を用いたサービスとしてビデオオンデマンド（ＶＯＤ）等を想定した視聴料金の値引きや、コンテンツおよびコンテンツ内の一部シーンの再送信が可能となる。また、コンテンツを正確に放送受信装置上で出画したことを証明することができるため、ＣＭ提携企業へのＣＭの出画証明が可能となる。
【００５２】
（実施の形態２）
以下、本発明の実施の形態２における放送受信装置について図４および図５を用いて説明する。図４は本発明の実施の形態２における放送受信装置の構成を示すブロック図である。図４において、実施の形態１の図１におけるのと同じ符号は同一構成要素を指している。本実施の形態に特有の構成は、次のとおりである。
【００５３】
チューナ/復調部２にチューナ/復調エラー検出部１２が内蔵されている。このチューナ/復調エラー検出部１２は、チューナ/復調部２でエラーが発生すると、視聴エラー情報生成部８に対しチューナ/復調エラーＤ２０を出力する。
【００５４】
視聴エラー情報生成部８は、デコードエラーＤ６またはチューナ/復調エラーＤ２０が入力されると、時間管理部９へ日時情報要求信号Ｄ７を出力し、日時情報Ｄ８を入力する。入力されたデコードエラーＤ６またはチューナ/復調エラーＤ２０をエラー要因とし、日時情報Ｄ８、視聴番組情報Ｄ１０および端末識別情報Ｄ１２から視聴エラー情報Ｄ１３を生成し、視聴エラー情報送信部１１へ出力する。
【００５５】
その他の構成については、実施の形態１と同様であるので、説明を省略する。
【００５６】
図５は本発明の実施の形態２における視聴エラー情報生成部８の処理を示すフローチャートである。
【００５７】
視聴エラー情報生成部８は、デコードエラーＤ６またはチューナ/復調エラーＤ２０が入力されると、ステップＳ２１の処理を開始する。
【００５８】
ステップＳ２２において、ステップＳ２１の処理が開始される要因となったエラーがデコードエラーＤ６か確認する。要因となったエラーがデコードエラーＤ６の場合は、ステップＳ２３へ移行する。要因となったエラーがデコードエラーＤ６ではない場合は、ステップＳ２４へ移行する。
【００５９】
ステップＳ２３において、エラー要因をデコードエラーＤ６に設定する。
【００６０】
ステップＳ２４において、エラー要因をチューナ/復調エラーＤ２０に設定する。
【００６１】
ステップＳ２５において、図３に示す視聴情報取得処理を行う。
【００６２】
ステップＳ２６において、ステップＳ２５で取得した視聴情報とステップＳ２３またはステップＳ２４において設定したエラー要因を基に視聴エラー情報Ｄ１３を生成する。
【００６３】
ステップＳ２７において、ステップＳ２６で生成した視聴エラー情報Ｄ１３を視聴エラー情報送信部１１へ出力する。
【００６４】
ステップＳ２８において、処理を終了する。
【００６５】
以上のように本実施の形態によれば、デコード部４におけるストリームＤ３のデコードエラー発生時に、デコードエラー発生時の視聴番組情報、日時情報および端末識別情報を外部へ送信することに加え、チューナ/復調部２においてエラーが発生した場合に、チューナ/復調エラー検出部１２がエラーを検出しチューナ/復調エラーＤ２０を視聴エラー情報生成部８に送信することにより、個人の放送受信装置上で発生したデコード時のエラーに加え、チューナ/復調のエラーにより正しく出画されなかったコンテンツの特定シーンを放送事業者などで把握できる。これにより、天候不良や電波障害などによる受信ＣＮ比の低下によって正確に表示されなかったコンテンツに対しても、上記サービスが可能となる。
【００６６】
（実施の形態３）
以下、本発明の実施の形態３における放送受信装置について図６および図７を用いて説明する。図６は本発明の実施の形態３における放送受信装置の構成を示すブロック図である。図６において、実施の形態１の図１におけるのと同じ符号は同一構成要素を指している。本実施の形態では、新たな構成要素として、視聴エラー情報蓄積部１３と記録装置１４が追加されている。
【００６７】
視聴エラー情報生成部８は、生成した視聴エラー情報Ｄ１３を視聴エラー情報蓄積部１３へ出力するように構成されている。
【００６８】
視聴エラー情報蓄積部１３は、視聴エラー情報Ｄ１３が入力されると、視聴エラー情報Ｄ２１を記録装置１４に記録し、記録装置１４から視聴エラー情報Ｄ２２を取得し、視聴エラー情報Ｄ２３として視聴エラー情報送信部１１へ送信するように構成されている。また、視聴エラー情報蓄積部１３は、視聴エラー情報送信部１１から送信エラー信号Ｄ２４が入力されると、再度、視聴エラー情報Ｄ２２を視聴エラー情報送信部１１へ送信し、送信完了信号Ｄ２５が入力されると、送信した視聴エラー情報Ｄ２２を記録装置１４から削除するように構成されている。
【００６９】
視聴エラー情報送信部１１は、視聴エラー情報蓄積部１３から視聴エラー情報Ｄ２３が入力されると、視聴エラー情報Ｄ１４を外部へ送信し、視聴エラー情報Ｄ１４の送信に失敗すると、視聴エラー情報蓄積部１３へ送信エラー信号Ｄ２４を出力し、視聴エラー情報Ｄ１４の送信が完了すると、視聴エラー情報蓄積部１３へ送信完了信号Ｄ２５を出力するように構成されている。
【００７０】
その他の構成については、実施の形態１と同様であるので、説明を省略する。
【００７１】
図７は本発明の実施の形態３における視聴エラー情報蓄積部１３の処理を示すフローチャートである。
【００７２】
視聴エラー情報蓄積部１３は、視聴エラー情報Ｄ１３または送信エラー信号Ｄ２４または送信完了信号Ｄ２５が入力されると、ステップＳ３１の処理を開始する。
【００７３】
ステップＳ３２において、視聴エラー情報Ｄ１３が入力されたか判断を行い、視聴エラー情報Ｄ１３が入力されたのならステップＳ３３へ移行し、視聴エラー情報Ｄ１３が入力されていないならステップＳ３５へ移行する。
【００７４】
ステップＳ３３において、視聴エラー情報Ｄ２１を記録装置１４に記録する。
【００７５】
ステップＳ３４において、視聴エラー情報蓄積部１３で管理している送信状態変数Ｋ１が未送信中か判断を行い、未送信中であればステップＳ３９へ移行し、未送信中でないのならステップＳ４２へ移行する。
【００７６】
ステップＳ３５において、送信完了信号Ｄ２５が入力されたか判断を行い、送信完了信号Ｄ２５が入力されたのならステップＳ３６へ移行し、送信完了信号Ｄ２５が入力されていないならステップＳ４０へ移行する。
【００７７】
ステップＳ３６において、記録装置１４から記録後の経過時間が一番長い視聴エラー情報Ｄ２２を削除する。
【００７８】
ステップＳ３７において、送信状態変数Ｋ１を未送信中に設定する。
【００７９】
ステップＳ３８において、記録装置１４内に視聴エラー情報Ｄ２１が記録されているか確認し、記録されているのならステップＳ３９へ移行し、記録されていないのならステップＳ４２へ移行する。
【００８０】
ステップＳ３９において、送信状態変数Ｋ１を送信中に設定する。
【００８１】
ステップＳ４０において、送信エラー信号Ｄ２４が入力されたか判断を行い、送信エラー信号Ｄ２４が入力されたのならステップＳ４１へ移行し、送信エラー信号Ｄ２４が入力されていないならステップＳ４２へ移行する。
【００８２】
ステップＳ４１において、記録装置１４から記録後の経過時間が一番長い視聴エラー情報Ｄ２２を取得し、視聴エラー情報送信部１１へ視聴エラー情報Ｄ２３を出力する。
【００８３】
ステップＳ４２において、処理を終了する。
【００８４】
以上のように本実施の形態によれば、視聴エラー情報Ｄ１４の外部への送信が完了するまで、記録装置１４を用いて視聴エラー情報Ｄ１３をバッファリングし、視聴エラー情報送信部１１からの視聴エラー送信が失敗した場合に再送信処理を行うことにより、外部へ視聴エラー情報Ｄ１４を確実に送信できる。
【００８５】
（実施の形態４）
以下、本発明の実施の形態４における放送受信装置について図８および図９を用いて説明する。図８は本発明の実施の形態４における放送受信装置の構成を示すブロック図である。図８において、実施の形態３の図６におけるのと同じ符号は同一構成要素を指している。新たな構成要素として、番組情報管理部７から視聴エラー情報蓄積部１３へ出力される送信禁止信号Ｄ２６と送信許可信号Ｄ２７が追加されている。
【００８６】
番組情報管理部７は、ストリーム分離部３からの番組情報Ｄ５に送信禁止要因が含まれている場合は、送信禁止信号Ｄ２６を視聴エラー情報蓄積部１３へ出力し、番組情報Ｄ５に送信許可要因が含まれている場合は、送信許可信号Ｄ２７を視聴エラー情報蓄積部１３へ出力する。
【００８７】
視聴エラー情報蓄積部１３は、番組情報管理部７からの送信禁止信号Ｄ２６を入力すると、管理している送信制御変数Ｋ２に送信禁止に相当する値を格納し、送信許可信号Ｄ２７を入力すると、送信制御変数Ｋ２に送信許可に相当する値を格納する。視聴エラー情報蓄積部１３は、送信制御変数Ｋ２に送信許可に相当する値が格納されている場合、記録装置１４から視聴エラー情報Ｄ２２を取得し、視聴エラー情報送信部１１へ送信する。
【００８８】
その他の構成については、実施の形態３と同様であるので、説明を省略する。
【００８９】
図９は本発明の実施の形態３における視聴エラー情報蓄積部１３の処理を示すフローチャートである。
【００９０】
視聴エラー情報蓄積部１３は、視聴エラー情報Ｄ１３または送信エラー信号Ｄ２４または送信完了信号Ｄ２５または送信禁止信号Ｄ２６または送信許可信号Ｄ２７が入力されると、ステップＳ５１の処理を開始する。
【００９１】
ステップＳ５２において、視聴エラー情報Ｄ１３が入力されたか判断を行い、視聴エラー情報Ｄ１３が入力されたのならステップＳ５３へ移行し、視聴エラー情報Ｄ１３が入力されていないならステップＳ５５へ移行する。
【００９２】
ステップＳ５３において、視聴エラー情報Ｄ２１を記録装置１４に記録する。
【００９３】
ステップＳ５４において、送信状態変数Ｋ１が未送信中か判断を行い、未送信中であればステップＳ６１へ移行し、未送信中でないのならステップＳ６７へ移行する。
【００９４】
ステップＳ５５において、送信完了信号Ｄ２５が入力されたか判断を行い、送信完了信号Ｄ２５が入力されたのならステップＳ５６へ移行し、送信完了信号Ｄ２５が入力されていないならステップＳ５８へ移行する。
【００９５】
ステップＳ５６において、記録装置１４から記録後の経過時間が一番長い視聴エラー情報Ｄ２２を削除する。
【００９６】
ステップＳ５７において、送信状態変数Ｋ１に未送信中を示す値を格納する。
【００９７】
ステップＳ５８において、送信許可信号Ｄ２７が入力されたか判断を行い、送信許可信号Ｄ２７が入力されたのならステップＳ５９へ移行し、送信許可信号Ｄ２７が入力されていないのならステップＳ６３へ移行する。
【００９８】
ステップＳ５９において、送信制御変数Ｋ２に送信許可を示す値を格納する。
【００９９】
ステップＳ６０において、記録装置１４内に視聴エラー情報Ｄ２１が記録されているか確認し、記録されているのならステップＳ６１へ移行し、記録されていないのならステップＳ６７へ移行する。
【０１００】
ステップＳ６１において、送信制御変数Ｋ２が送信許可か判断を行い、送信許可であればステップＳ６２へ移行し、送信許可でないのならステップＳ６７へ移行する。
【０１０１】
ステップＳ６２において、送信状態変数Ｋ１に送信中を示す値を格納する。
【０１０２】
ステップＳ６３において、送信禁止信号Ｄ２６が入力されたか判断を行い、送信禁止信号Ｄ２６が入力されたのならステップＳ６４へ移行し、送信禁止信号Ｄ２６が入力されていないのならステップＳ６７へ移行する。
【０１０３】
ステップＳ６４において、視聴エラー情報蓄積部１３で管理している送信制御変数Ｋ２に送信禁止を示す値を格納する。
【０１０４】
ステップＳ６５において、送信エラー信号Ｄ２４が入力されたか判断を行い、送信エラー信号Ｄ２４が入力されたのならステップＳ６６へ移行し、送信エラー信号Ｄ２４が入力されていないのならステップＳ６７へ移行する。
【０１０５】
ステップＳ６６において、記録装置１４から記録後の経過時間が一番長い視聴エラー情報Ｄ２２を取得し、視聴エラー情報送信部１１へ視聴エラー情報Ｄ２３を出力する。
【０１０６】
ステップＳ６７において、処理を終了する。
【０１０７】
以上のように本実施の形態によれば、番組情報Ｄ５の中に含まれる送信許可要因・送信禁止要因により、視聴エラー情報蓄積部１３から視聴エラー情報送信部１１への視聴エラー情報Ｄ２３の送信を制御することができる。これにより、視聴エラー情報を受信する装置のメンテナンス等により、視聴エラー情報の受信ができない場合、番組情報Ｄ５における送信許可要因・送信禁止要因によって放送受信装置からの視聴エラー情報Ｄ１４の送信処理を一時的に停止させることができる。
【０１０８】
（実施の形態５）
以下、本発明の実施の形態５における放送受信装置について図１０および図１１を用いて説明する。図１０は本発明の実施の形態５における放送受信装置の構成を示すブロック図である。図１０において、実施の形態３の図６におけるのと同じ符号は同一構成要素を指している。新たな構成要素として、外部入力Ｉ／Ｆ部１５が追加されている。
【０１０９】
外部入力Ｉ／Ｆ部１５は、放送受信装置の外部から送信禁止要因が含まれる入力が行われた場合、送信禁止信号Ｄ２８を視聴エラー情報蓄積部１３へ出力し、送信許可要因が含まれる入力が行われた場合、送信許可信号Ｄ２９を視聴エラー情報蓄積部１３へ出力する。
【０１１０】
視聴エラー情報蓄積部１３は、外部入力Ｉ／Ｆ部１５からの送信禁止信号Ｄ２８を入力すると、送信制御変数Ｋ２に送信禁止に相当する値を格納し、送信許可信号Ｄ２９を入力すると、送信制御変数Ｋ２に送信許可に相当する値を格納する。
【０１１１】
その他の構成については、実施の形態３と同様であるので、説明を省略する。
【０１１２】
図１１は本発明の実施の形態５における視聴エラー情報蓄積部１３の処理を示すフローチャートである。
【０１１３】
視聴エラー情報蓄積部１３は、視聴エラー情報Ｄ１３または送信エラー信号Ｄ２４または送信完了信号Ｄ２５または送信禁止信号Ｄ２８または送信許可信号Ｄ２９が入力されると、ステップＳ７１の処理を開始する。
【０１１４】
ステップＳ７２において、視聴エラー情報Ｄ１３が入力されたか判断を行い、視聴エラー情報Ｄ１３が入力されたのならステップＳ７３へ移行し、視聴エラー情報Ｄ１３が入力されていないならステップＳ８１へ移行する。
【０１１５】
ステップＳ７３において、視聴エラー情報Ｄ２１を記録装置１４に記録する。
【０１１６】
ステップＳ７４において、送信状態変数Ｋ１が未送信中か判断を行い、未送信中であればステップＳ８１へ移行し、未送信中でないのならステップＳ８７へ移行する。
【０１１７】
ステップＳ７５において、送信完了信号Ｄ２５が入力されたか判断を行い、送信完了信号Ｄ２５が入力されたのならステップＳ７６へ移行し、送信完了信号Ｄ２５が入力されていないならステップＳ７８へ移行する。
【０１１８】
ステップＳ７６において、記録装置１４から記録後の経過時間が一番長い視聴エラー情報Ｄ２２を削除する。
【０１１９】
ステップＳ７７において、送信状態変数Ｋ１に未送信中を示す値を格納する。
【０１２０】
ステップＳ７８において、送信許可信号Ｄ２９が入力されたか判断を行い、送信許可信号Ｄ２９が入力されたのならステップＳ７９へ移行し、送信許可信号Ｄ２９が入力されていないのならステップＳ８３へ移行する。
【０１２１】
ステップＳ７９において、送信制御変数Ｋ２に送信許可を示す値を格納する。
【０１２２】
ステップＳ８０において、記録装置１４内に視聴エラー情報Ｄ２１が記録されているか確認し、記録されているのならステップＳ８１へ移行し、記録されていないのならステップＳ８７へ移行する。
【０１２３】
ステップＳ８１において、送信制御変数Ｋ２が送信許可か判断を行い、送信許可であればステップＳ８２へ移行し、送信許可でないのならステップＳ８７へ移行する。
【０１２４】
ステップＳ８２において、送信状態変数Ｋ１に送信中を示す値を格納する。
【０１２５】
ステップＳ８３において、送信禁止信号Ｄ２８が入力されたか判断を行い、送信禁止信号Ｄ２８が入力されたのならステップＳ８４へ移行し、送信禁止信号Ｄ２８が入力されていないのならステップＳ８５へ移行する。
【０１２６】
ステップＳ８４において、送信制御変数Ｋ２に送信禁止を示す値を格納する。
【０１２７】
ステップＳ８５において、送信エラー信号Ｄ２４が入力されたか判断を行い、送信エラー信号Ｄ２４が入力されたのならステップＳ８６へ移行し、送信エラー信号Ｄ２４が入力されていないのならステップＳ８７へ移行する。
【０１２８】
ステップＳ８６において、記録装置１４から記録後の経過時間が一番長い視聴エラー情報Ｄ２２を取得し、視聴エラー情報送信部１１へ視聴エラー情報Ｄ２３を出力する。
【０１２９】
ステップＳ８７において、処理を終了する。
【０１３０】
以上のように本実施の形態によれば、外部入力からの送信許可要因・送信禁止要因により、視聴エラー情報蓄積部１３から視聴エラー情報送信部１１への視聴エラー情報Ｄ２３の送信を制御することができる。これにより、視聴エラー情報の送信の通信経路が不安定な区間における視聴エラー情報送信部１１の送信ミスの多発や、放送波の受信が不安定な区間における番組再送信時のさらなるエラー発生を未然に防ぐために、区間内において視聴エラー情報の送信を一時的に停止することができる。
【０１３１】
（実施の形態６）
以下、本発明の実施の形態６における放送受信装置について図１２から図１４を用いて説明する。図１２は本発明の実施の形態６における放送受信装置の構成を示すブロック図である。図１２において、実施の形態３の図６におけるのと同じ符号は同一構成要素を指している。視聴エラー情報蓄積部１３が削除され、代わりに視聴エラー情報圧縮部１６が追加されている。
【０１３２】
視聴エラー情報生成部８は、生成した視聴エラー情報Ｄ１３を視聴エラー情報圧縮部１６へ出力する。
【０１３３】
視聴エラー情報圧縮部１６は、視聴エラー情報Ｄ１３が入力されると、記録装置１４内の記録されてからの経過時間が最も新しい圧縮された視聴エラー情報Ｄ３１と視聴エラー情報Ｄ１３を統合または削除することで圧縮する。統合とは、圧縮された視聴エラー情報Ｄ３１と視聴エラー情報Ｄ１３との差分抽出し、抽出した差分を圧縮された視聴エラー情報Ｄ３１に追加する。圧縮された視聴エラー情報Ｄ３１と視聴エラー情報Ｄ１３との差分が日時情報だけの場合、その時間差が任意の時間よりも長い場合は統合を行う。削除とは、圧縮された視聴エラー情報Ｄ３１と視聴エラー情報Ｄ１３との差分抽出し、差分が日時情報だけの場合で、かつ、その時間差が任意の時間よりも短い場合、視聴エラー情報Ｄ１３を削除することをさす。
【０１３４】
視聴エラー情報圧縮部１６は、記録装置１４に記録された圧縮された視聴エラー情報Ｄ３１が基準量に到達すると、記録装置１４から圧縮された視聴エラー情報Ｄ３２を取得し、視聴エラー情報送信部１１へ圧縮された視聴エラー情報Ｄ３３を出力し、送信エラー信号Ｄ３４が入力されると、再度、圧縮された視聴エラー情報Ｄ３３を視聴エラー情報送信部１１へ出力し、送信完了信号Ｄ３５が入力されると、送信した圧縮された視聴エラー情報Ｄ３２を記録装置１４から削除する。
【０１３５】
視聴エラー情報送信部１１は、圧縮された視聴エラー情報Ｄ３３が入力されると、圧縮された視聴エラー情報Ｄ１４ａを外部へ送信し、圧縮された視聴エラー情報Ｄ１４ａの送信に失敗すると、視聴エラー情報圧縮部１６へ送信エラー信号Ｄ３４を出力し、圧縮された視聴エラー情報Ｄ１４ａの送信が完了すると、視聴エラー情報圧縮部１６へ送信完了信号Ｄ３５を出力する。
【０１３６】
その他の構成については、実施の形態３と同様であるので、説明を省略する。
【０１３７】
図１３は本発明の実施の形態６における視聴エラー情報圧縮部１６の処理を示すフローチャートである。
【０１３８】
視聴エラー情報圧縮部１６は、視聴エラー情報Ｄ１３または送信エラー信号Ｄ３４または送信完了信号Ｄ３５が入力されると、ステップＳ９１の処理を開始する。
【０１３９】
ステップＳ９２において、視聴エラー情報Ｄ１３が入力されたか判断を行い、視聴エラー情報Ｄ１３が入力されたのならステップＳ９３へ移行し、視聴エラー情報Ｄ１３が入力されていないならステップＳ９４へ移行する。
【０１４０】
ステップＳ９３において、視聴エラー情報Ｄ１３を記録装置１４に圧縮記録する。詳細は後述の図１４で説明する。
【０１４１】
ステップＳ９４において、送信完了信号Ｄ３５が入力されたか判断を行い、送信完了信号Ｄ３５が入力されたのならステップＳ９５へ移行し、送信完了信号Ｄ２５が入力されていないならステップＳ１０１へ移行する。
【０１４２】
ステップＳ９５において、記録装置１４から送信対象に設定されていた圧縮された視聴エラー情報Ｄ３２を削除する。
【０１４３】
ステップＳ９６において、視聴エラー情報圧縮部１６で管理している送信状態変数Ｋ１を未送信中に設定する。
【０１４４】
ステップＳ９７において、記録装置１４に記録されている圧縮された視聴エラー情報Ｄ３１の記録量が基準量に到達したか判断を行い、記録量が基準量に到達したのならステップＳ９８へ移行し、記録量が基準量に到達していないのならステップＳ１０３へ移行する。
【０１４５】
ステップＳ９８において、送信状態変数Ｋ１が未送信中か判断を行い、未送信中であればステップＳ９９へ移行し、未送信中でなければステップＳ１０３へ移行する。
【０１４６】
ステップＳ９９において、送信状態変数Ｋ１を送信中に設定する。
【０１４７】
ステップＳ１００において、記録装置１４に記録されている圧縮された視聴エラー情報Ｄ３２を送信対象に設定する。
【０１４８】
ステップＳ１０１において、送信エラー信号Ｄ３４が入力されたか判断を行い、送信エラー信号Ｄ３４が入力されたのならステップＳ１０２へ移行し、送信エラー信号Ｄ３４が入力されていないならステップＳ１０３へ移行する。
【０１４９】
ステップＳ１０２において、送信対象の圧縮された視聴エラー情報Ｄ３２を記録装置１４から取得し、視聴エラー情報送信部１１へ出力する。
【０１５０】
ステップＳ１０３において、処理を終了する。
【０１５１】
図１４は本発明の実施の形態６における視聴エラー情報Ｄ１３の記録装置１４への圧縮記録の処理を示すフローチャートである。
【０１５２】
ステップＳ１１１において、視聴エラー情報Ｄ１３の記録装置１４への圧縮記録処理を開始する。
【０１５３】
ステップＳ１１２において、記録装置１４に記録されている圧縮された視聴エラー情報Ｄ３１が送信対象に設定されているか判断し、圧縮された視聴エラー情報Ｄ３１が送信対象に設定されているのならステップＳ１１３へ移行し、圧縮された視聴エラー情報Ｄ３１が送信対象に設定されていないのならステップＳ１１４へ移行する。
【０１５４】
ステップＳ１１３において、記録装置１４に記録されている圧縮された視聴エラー情報Ｄ３１に視聴エラー情報Ｄ１３を統合または削除する。
【０１５５】
ステップＳ１１４において、視聴エラー情報Ｄ１３を圧縮された視聴エラー情報Ｄ３１として記録装置１４に記録する。
【０１５６】
ステップＳ１１５において、処理を終了する。
【０１５７】
以上のように本実施の形態によれば、送信する視聴エラー情報Ｄ１３を記録装置１４を用いて圧縮することにより、放送受信装置の外部への視聴エラー情報の送信量を削減することができる。
【０１５８】
（実施の形態７）
以下、本発明の実施の形態７における放送受信装置について図１５および図１６を用いて説明する。図１５は本発明の実施の形態７における放送受信装置の構成を示すブロック図である。図１５において、実施の形態６の図１２におけるのと同じ符号は同一構成要素を指している。新たな構成要素として、時間管理部９と視聴エラー情報圧縮部１６との間でやりとりされる送信要求時間Ｄ４１および送信要求信号Ｄ４２が追加されている。
【０１５９】
時間管理部９は、視聴エラー情報圧縮部１６から送信要求時間Ｄ４１が入力されると、送信要求時間Ｄ４１に指定された時間が経過するタイミングで、視聴エラー情報圧縮部１６へ送信要求信号Ｄ４２を出力する。
【０１６０】
視聴エラー情報圧縮部１６は、送信完了信号Ｄ３５が入力されると、送信した圧縮された視聴エラー情報Ｄ３２を記録装置１４から削除し、時間管理部９へ送信要求時間Ｄ４１を出力し、時間管理部９から送信要求信号Ｄ４２が入力されると、記録装置１４に圧縮された視聴エラー情報Ｄ３１が記録されている場合、記録装置１４から圧縮された視聴エラー情報Ｄ３２を取得し、視聴エラー情報送信部１１へ圧縮された視聴エラー情報Ｄ３３を出力する。さらに、時間管理部９から送信要求信号Ｄ４２が入力されると、記録装置１４に圧縮された視聴エラー情報Ｄ３１が記録されていない場合、時間管理部９へ送信要求時間Ｄ４１を出力する。
【０１６１】
その他の構成については、実施の形態６と同様であるので、説明を省略する。
【０１６２】
図１６は本発明の実施の形態７における視聴エラー情報圧縮部１６の処理を示すフローチャートである。ここでの特徴は、ステップＴ６，Ｔ９，Ｔ１０，Ｔ１４にある。
【０１６３】
視聴エラー情報圧縮部１６は、視聴エラー情報Ｄ１３または送信エラー信号Ｄ３４または送信完了信号Ｄ３５または送信要求信号Ｄ４２が入力されると、ステップＴ１の処理を開始する。
【０１６４】
ステップＴ２において、視聴エラー情報Ｄ１３が入力されたか判断を行い、視聴エラー情報Ｄ１３が入力されたのならステップＴ３へ移行し、視聴エラー情報Ｄ１３が入力されていないならステップＴ４へ移行する。
【０１６５】
ステップＴ３において、視聴エラー情報Ｄ１３を記録装置１４に圧縮記録する。詳細は図１４で説明している。
【０１６６】
ステップＴ４において、送信完了信号Ｄ３５が入力されたか判断を行い、送信完了信号Ｄ３５が入力されたのならステップＴ５へ移行し、送信完了信号Ｄ３５が入力されていないならステップＴ９へ移行する。
【０１６７】
ステップＴ５において、記録装置１４から送信対象に設定されていた圧縮された視聴エラー情報Ｄ３２を削除する。
【０１６８】
ステップＴ６において、時間管理部９へ送信要求時間Ｄ４１を出力する。
【０１６９】
ステップＴ７において、送信状態変数Ｋ１を未送信中に設定する。
【０１７０】
ステップＴ８において、記録装置１４に記録されている圧縮された視聴エラー情報Ｄ３１の記録量が基準量に到達したか判断を行い、記録量が基準量に到達したのならステップＴ１１へ移行し、記録量が基準量に到達していないのならステップＴ１７へ移行する。
【０１７１】
ステップＴ９において、送信要求信号Ｄ４２が入力されたか判断を行い、送信要求信号Ｄ４２が入力されたのならステップＴ１０へ移行し、送信要求信号Ｄ４２が入力されていないならステップＴ１５へ移行する。
【０１７２】
ステップＴ１０において、記録装置１４に圧縮された視聴エラー情報Ｄ３１が記録されているか判断し、記録装置１４に圧縮された視聴エラー情報Ｄ３１が記録されているならステップＴ１１へ移行し、記録装置１４に圧縮された視聴エラー情報Ｄ３１が記録されていないならステップＴ１４へ移行する。
【０１７３】
ステップＴ１１において、送信状態変数Ｋ１が未送信中か判断を行い、未送信中であればステップＴ１２へ移行し、未送信中でなければステップＴ１７へ移行する。
【０１７４】
ステップＴ１２において、送信状態変数Ｋ１を送信中に設定する。
【０１７５】
ステップＴ１３において、記録装置１４に記録されている圧縮された視聴エラー情報Ｄ３２を送信対象に設定する。
【０１７６】
ステップＴ１４において、時間管理部９へ送信要求時間Ｄ４１を出力する。
【０１７７】
ステップＴ１５において、送信エラー信号Ｄ３４が入力されたか判断を行い、送信エラー信号Ｄ３４が入力されたのならステップＴ１６へ移行し、送信エラー信号Ｄ３４が入力されていないならステップＴ１７へ移行する。
【０１７８】
ステップＴ１６において、送信対象の圧縮された視聴エラー情報Ｄ３２を記録装置１４から取得し、視聴エラー情報送信部１１へ出力する。
【０１７９】
ステップＴ１７において、処理を終了する。
【０１８０】
ステップＴ９からステップＴ１０を経てステップＴ１１へ移行するところがポイントである。
【０１８１】
以上のように本実施の形態によれば、任意の時間で時間管理部９から視聴エラー情報圧縮部１６へ送信要求信号Ｄ４２を出力することにより、実施の形態６の課題点である、蓄積されている圧縮された視聴エラー情報Ｄ３１が基準量に到達しないことによる未送信を回避することができる。
【０１８２】
（実施の形態８）
以下、本発明の実施の形態８における放送受信装置について図１７および図１８を用いて説明する。図１７は本発明の実施の形態８における放送受信装置の構成を示すブロック図である。図１７において、実施の形態６の図１２におけるのと同じ符号は同一構成要素を指している。新たな構成要素として、視聴エラー情報送出タイミング切換え部１７が追加されている。
【０１８３】
番組情報管理部７は、ストリーム分離部３からの番組情報Ｄ５に即時送出要因が含まれている場合、即時送出信号Ｄ５１を視聴エラー情報送出タイミング切換え部１７へ出力し、ストリーム分離部３からの番組情報Ｄ５に蓄積送出要因が含まれている場合、蓄積送出信号Ｄ５２を視聴エラー情報送出タイミング切換え部１７へ出力する。
【０１８４】
視聴エラー情報生成部８は、生成した視聴エラー情報Ｄ１３を視聴エラー情報送出タイミング切換え部１７へ出力する。
【０１８５】
視聴エラー情報送出タイミング切換え部１７は、番組情報管理部７からの即時送出信号Ｄ５１を入力すると、管理している送出モード変数Ｋ３に即時送信に相当する値を格納し、蓄積送出信号Ｄ５２を入力すると、送出モード変数Ｋ３に蓄積送信に相当する値を格納する。また、視聴エラー情報Ｄ１３が入力されると、送出モード変数Ｋ３に即時送信に相当する値が格納されている場合は、視聴エラー情報送信部１１へ視聴エラー情報Ｄ６１を出力し、送出モード変数Ｋ３に蓄積送信に相当する値が格納されている場合は、視聴エラー情報圧縮部１６へ視聴エラー情報Ｄ６２を出力する。
【０１８６】
視聴エラー情報圧縮部１６は、視聴エラー情報Ｄ６２が入力されると、記録装置１４内の記録されてからの経過時間が最も新しい圧縮された視聴エラー情報Ｄ３１と視聴エラー情報Ｄ１３を統合または削除することで圧縮する。
【０１８７】
視聴エラー情報送信部１１は、視聴エラー情報Ｄ６１が入力されると、圧縮された視聴エラー情報Ｄ１４ａよりも圧縮を受けない視聴エラー情報Ｄ１４の方を優先して外部へ送信する。
【０１８８】
その他の構成については、実施の形態６と同様であるので、説明を省略する。
【０１８９】
図１８は本発明の実施の形態８における視聴エラー情報送出タイミング切換え部１７の処理を示すフローチャートである。
【０１９０】
視聴エラー情報送出タイミング切換え部１７は、視聴エラー情報Ｄ１３または即時送出信号Ｄ５１または蓄積送出信号Ｄ５２が入力されると、ステップＴ２１の処理を開始する。
【０１９１】
ステップＴ２２において、視聴エラー情報Ｄ１３が入力されたか判断を行い、視聴エラー情報Ｄ１３が入力されたのならステップＴ２３へ移行し、視聴エラー情報Ｄ１３が入力されていないならステップＴ２６へ移行する。
【０１９２】
ステップＴ２３において、送出モード変数Ｋ３が即時送出を指す値か判断を行い、送出モード変数Ｋ３が即時送出を指す値であるならステップＴ２４へ移行し、送出モード変数Ｋ３が蓄積送出を指す値であるならステップＴ２５へ移行する。
【０１９３】
ステップＴ２４において、視聴エラー情報Ｄ６１を視聴エラー情報送信部１１へ出力する。
【０１９４】
ステップＴ２５において、視聴エラー情報Ｄ６２を視聴エラー情報圧縮部１６へ出力する。
【０１９５】
ステップＴ２６において、即時送出信号Ｄ５１が入力されたか判断を行い、即時送出信号Ｄ５１が入力されたのならステップＴ２７へ移行し、即時送出信号Ｄ５１が入力されていないならステップＴ２８へ移行する。
【０１９６】
ステップＴ２７において、送出モード変数Ｋ３を即時送出を指す値に変更する。
【０１９７】
ステップＴ２８において、蓄積送出信号Ｄ５２が入力されたか判断を行い、蓄積送出信号Ｄ５２が入力されたのならステップＴ２９へ移行し、蓄積送出信号Ｄ５２が入力されていないならステップＴ３０へ移行する。
【０１９８】
ステップＴ２９において、送出モード変数Ｋ３を蓄積送出を指す値に変更する。
【０１９９】
ステップＴ３０において、処理を終了する。
【０２００】
以上のように本実施の形態によれば、番組情報Ｄ５に含まれる即時送出要因、蓄積送出要因から、視聴エラー情報Ｄ１３を視聴エラー情報圧縮部１６によって圧縮して外部へ送信するか、即時に外部へ送信するか切り換えることが可能となる。これにより、例えば、番組中の１シーンを見逃すことで以降の番組内容の価値が減少してしまうような番組に即時に対応することができる。
【０２０１】
（実施の形態９）
以下、本発明の実施の形態９における放送受信装置について図１９および図２０を用いて説明する。図１９は本発明の実施の形態９における放送受信装置の構成を示すブロック図である。図１９において、実施の形態８の図１７におけるのと同じ符号は同一構成要素を指している。新たな構成要素として、外部入力Ｉ／Ｆ部１５が追加されている。
【０２０２】
外部入力Ｉ／Ｆ部１５は、放送受信装置の外部から即時送信要因が含まれる入力が行われた場合、即時送出信号Ｄ７１を視聴エラー情報送出タイミング切換え部１７へ出力し、外部から蓄積送信要因が含まれる入力が行われた場合、蓄積送出信号Ｄ７２を視聴エラー情報送出タイミング切換え部１７へ出力する。
【０２０３】
視聴エラー情報送出タイミング切換え部１７は、外部入力Ｉ／Ｆ部１５からの即時送出信号Ｄ７１を入力すると、送出モード変数Ｋ３に即時送信に相当する値を格納し、蓄積送出信号Ｄ７２を入力すると、送出モード変数Ｋ３に蓄積送信に相当する値を格納する。また、視聴エラー情報Ｄ１３が入力されると、送出モード変数Ｋ３に即時送信に相当する値が格納されている場合は、視聴エラー情報送信部１１へ視聴エラー情報Ｄ８１を出力し、送出モード変数Ｋ３に蓄積送信に相当する値が格納されている場合は、視聴エラー情報圧縮部１６へ視聴エラー情報Ｄ８２を出力する。
【０２０４】
視聴エラー情報圧縮部１６は、視聴エラー情報Ｄ８２が入力されると、記録装置１４内の記録されてからの経過時間が最も新しい圧縮された視聴エラー情報Ｄ３１と視聴エラー情報Ｄ１３を統合または削除することで圧縮する。
【０２０５】
視聴エラー情報送信部１１は、視聴エラー情報Ｄ８１が入力されると、圧縮された視聴エラー情報Ｄ１４ａよりも圧縮を受けない視聴エラー情報Ｄ１４の方を優先して外部へ送信する。
【０２０６】
その他の構成については、実施の形態８と同様であるので、説明を省略する。
【０２０７】
図２０は本発明の実施の形態９における視聴エラー情報送出タイミング切換え部１７の処理を示すフローチャートである。
【０２０８】
視聴エラー情報送出タイミング切換え部１７は、視聴エラー情報Ｄ１３または即時送出信号Ｄ７１または蓄積送出信号Ｄ７２が入力されると、ステップＴ３１の処理を開始する。
【０２０９】
ステップＴ３２において、視聴エラー情報Ｄ１３が入力されたか判断を行い、視聴エラー情報Ｄ１３が入力されたのならステップＴ３３へ移行し、視聴エラー情報Ｄ１３が入力されていないならステップＴ３６へ移行する。
【０２１０】
ステップＴ３３において、送出モード変数Ｋ３が即時送出を指す値か判断を行い、送出モード変数Ｋ３が即時送出を指す値であるならステップＴ３４へ移行し、送出モード変数Ｋ３が蓄積送出を指す値であるならステップＴ３５へ移行する。
【０２１１】
ステップＴ３４において、視聴エラー情報Ｄ８１を視聴エラー情報送信部１１へ出力する。
【０２１２】
ステップＴ３５において、視聴エラー情報Ｄ８２を視聴エラー情報圧縮部１６へ出力する。
【０２１３】
ステップＴ３６において、即時送出信号Ｄ７１が入力されたか判断を行い、即時送出信号Ｄ７１が入力されたのならステップＴ３７へ移行し、即時送出信号Ｄ７１が入力されていないならステップＴ３８へ移行する。
【０２１４】
ステップＴ３７において、送出モード変数Ｋ３を即時送出を指す値に変更する。
【０２１５】
ステップＴ３８において、蓄積送出信号Ｄ７２が入力されたか判断を行い、蓄積送出信号Ｄ７２が入力されたのならステップＴ３９へ移行し、蓄積送出信号Ｄ７２が入力されていないならステップＴ４０へ移行する。
【０２１６】
ステップＴ３９において、送出モード変数Ｋ３を蓄積送出を指す値に変更する。
【０２１７】
ステップＴ４０において、処理を終了する。
【０２１８】
以上のように本実施の形態によれば、外部入力からの即時送信要因・蓄積送信要因により、視聴エラー情報Ｄ１３を視聴エラー情報圧縮部１６によって圧縮して外部へ送信するか、即時に外部へ送信するか切り換えることが可能となる。これにより、リモコンＩ／Ｆなどを用いて、放送受信装置を扱うユーザーの意思によりユーザーが視聴エラー情報の送出タイミングを制御することができる。
【０２１９】
（実施の形態１０）
以下、本発明の実施の形態１０における放送受信装置について図２１および図２２を用いて説明する。図２１は本発明の実施の形態１０における放送受信装置の構成を示すブロック図である。図２１において、実施の形態１の図１におけるのと同じ符号は同一構成要素を指している。新たな構成要素として、エラー処理制御部１８が追加されている。
【０２２０】
番組情報管理部７は、ストリーム分離部３からの番組情報Ｄ５が入力されると、番組情報Ｄ５を解析し、番組情報Ｄ５の中にエラー処理許可要因が含まれている場合はエラー処理許可信号Ｄ９１を出力し、番組情報Ｄ５の中にエラー処理禁止要因が含まれている場合はエラー処理禁止信号Ｄ９２を出力する。
【０２２１】
エラー処理制御部１８は、デコードエラーＤ６が入力されると、以前に番組情報管理部７からエラー処理許可信号Ｄ９１を入力している場合はデコードエラーＤ６′を出力し、以前にエラー処理禁止信号Ｄ９２を入力している場合はデコードエラーＤ６′を出力しない。また、デコードエラーＤ６′が入力されると、時間管理部９へ日時情報要求信号Ｄ７を出力し、日時情報Ｄ８を入力する。
【０２２２】
その他の構成については、実施の形態１と同様であるので、説明を省略する。
【０２２３】
図２２は本発明の実施の形態１０におけるエラー処理制御部１８の処理を示すフローチャートである。
【０２２４】
エラー処理制御部１８は、デコードエラーＤ６またはエラー処理許可信号Ｄ９１またはエラー処理禁止信号Ｄ９２が入力されると、ステップＴ５１の処理を開始する。
【０２２５】
ステップＴ５２において、デコードエラーＤ６が入力されたか判断を行い、デコードエラーＤ６が入力されたのならステップＴ５３へ移行し、デコードエラーＤ６が入力されていないならステップＴ５５へ移行する。
【０２２６】
ステップＴ５３において、エラー処理制御部１８で管理しているエラー処理状態変数Ｋ４に許可が設定されているか判断し、エラー処理状態変数Ｋ４に許可が設定されているのならステップＴ５４へ移行し、エラー処理状態変数Ｋ４に許可が設定されていないのならステップＴ５９へ移行する。
【０２２７】
ステップＴ５４において、デコードエラーＤ６′を視聴エラー情報生成部８へ出力する。
【０２２８】
ステップＴ５５において、エラー処理許可信号Ｄ９１が入力されたか判断を行い、エラー処理許可信号Ｄ９１が入力されたのならステップＴ５６へ移行し、エラー処理許可信号Ｄ９１が入力されていないのならステップＴ５７へ移行する。
【０２２９】
ステップＴ５６において、エラー処理状態変数Ｋ４に許可を設定する。
【０２３０】
ステップＴ５７において、エラー処理禁止信号Ｄ９２が入力されたか判断を行い、エラー処理禁止信号Ｄ９２が入力されたのならステップＴ５８へ移行し、エラー処理禁止信号Ｄ９２が入力されていないのならステップＴ５９へ移行する。
【０２３１】
ステップＴ５８において、エラー処理状態変数Ｋ４に禁止を設定する。
【０２３２】
ステップＴ５９において、処理を終了する。
【０２３３】
以上のように本実施の形態によれば、デコードエラーＤ６による視聴エラー情報の生成を行うか行わないかを、番組情報Ｄ５の中に含まれる要因によって決定することによって、放送事業者が視聴エラー情報を取得したいコンテンツやコンテンツ内の特定シーンを選択でき、外部への視聴エラー情報の送信量を削減することができる。
【０２３４】
（実施の形態１１）
以下、本発明の実施の形態１１における放送受信装置について図２３および図２４を用いて説明する。図２３は本発明の実施の形態１１における放送受信装置の構成を示すブロック図である。図２３において、実施の形態１の図１におけるのと同じ符号は同一構成要素を指している。新たな構成要素として、外部入力Ｉ／Ｆ部１５とエラー処理制御部１８が追加されている。
【０２３５】
外部入力Ｉ／Ｆ部１５は、放送受信装置の外部からエラー処理許可要因が含まれる入力が行われた場合、エラー処理許可信号Ｄ９１をエラー処理制御部１８へ出力し、外部からエラー処理禁止要因が含まれる入力が行われた場合、エラー処理禁止信号Ｄ９２をエラー処理制御部１８へ出力する。
【０２３６】
エラー処理制御部１８は、デコードエラーＤ６が入力されると、以前に外部入力Ｉ／Ｆ部１５からエラー処理許可信号Ｄ９１を入力している場合はデコードエラーＤ６′を出力し、以前に外部入力Ｉ／Ｆ部１５からエラー処理禁止信号Ｄ９２を入力している場合はデコードエラーＤ６′を出力しない。
【０２３７】
視聴エラー情報生成部８は、デコードエラーＤ６′が入力されると、時間管理部９へ日時情報要求信号Ｄ７を出力し、日時情報Ｄ８を入力する。
【０２３８】
その他の構成については、実施の形態１と同様であるので、説明を省略する。
【０２３９】
図２４は本発明の実施の形態１１におけるエラー処理制御部１８の処理を示すフローチャートである。
【０２４０】
エラー処理制御部１８は、デコードエラーＤ６またはエラー処理許可信号Ｄ９１またはエラー処理禁止信号Ｄ９２が入力されると、ステップＴ６１の処理を開始する。
【０２４１】
ステップＴ６２において、デコードエラーＤ６が入力されたか判断を行い、デコードエラーＤ６が入力されたのならステップＴ６３へ移行し、デコードエラーＤ６が入力されていないならステップＴ６５へ移行する。
【０２４２】
ステップＴ６３において、エラー処理状態変数Ｋ４に許可が設定されているか判断し、エラー処理状態変数Ｋ４に許可が設定されているのならステップＴ６４へ移行し、エラー処理状態変数Ｋ４に許可が設定されていないのならステップＴ６９へ移行する。
【０２４３】
ステップＴ６４において、デコードエラーＤ６′を視聴エラー情報生成部８へ出力する。
【０２４４】
ステップＴ６５において、エラー処理許可信号Ｄ９１が入力されたか判断を行い、エラー処理許可信号Ｄ９１が入力されたのならステップＴ６６へ移行し、エラー処理許可信号Ｄ９１が入力されていないのならステップＴ６７へ移行する。
【０２４５】
ステップＴ６６において、エラー処理状態変数Ｋ４に許可を設定する。
【０２４６】
ステップＴ６７において、エラー処理禁止信号Ｄ９２が入力されたか判断を行い、エラー処理禁止信号Ｄ９２が入力されたのならステップＴ６８へ移行し、エラー処理禁止信号Ｄ９２が入力されていないのならステップＴ６９へ移行する。
【０２４７】
ステップＴ６８において、エラー処理状態変数Ｋ４に禁止を設定する。
【０２４８】
ステップＴ６９において、処理を終了する。
【０２４９】
以上のように本実施の形態によれば、デコードエラーＤ６による視聴エラー情報の生成を行うか行わないかを、外部からの入力により決定することで、個人情報保護の観点で、放送受信装置を扱うユーザーの意思により、視聴エラー情報を送信するか否かを決定できる。
【０２５０】
なお、圧縮された視聴エラー情報の送信タイミングを時間によって決定する場合、送信完了後からの任意の時間に限らず、任意の日時や、蓄積部に格納されている圧縮された視聴エラー情報の格納されてからの経過時間などにより、同等の効果を実現してもよい。
【０２５１】
なお、位置情報を活用した視聴エラー情報を用いたサービスを想定し、端末固有情報管理部１０で管理する情報は、ＧＰＳ機能との連携による位置情報を含ませてもよい。
【０２５２】
なお、放送受信アンテナ１からの系だけではなく、ケーブルやＬＡＮなどから入力することにより、放送波だけでなく、ケーブル、インターネットを介したコンテンツの視聴に適用してもよい。
【産業上の利用可能性】
【０２５３】
本発明の技術は、双方向通信が可能な放送受信装置、特にペイ・パー・ビュー形式の有料放送サービスにかかわる放送受信装置において、ストリームのデコード時のエラーによってコンテンツが正確に表示されなかったことを放送事業者などへ適切に通知する上で有用である。
【図面の簡単な説明】
【０２５４】
【図１】本発明の実施の形態１における放送受信装置の構成を示すブロック図
【図２】本発明の実施の形態１における視聴エラー情報生成部の処理を示すフローチャート
【図３】本発明の実施の形態１における視聴エラー情報生成部の視聴情報取得の処理を示すフローチャート
【図４】本発明の実施の形態２における放送受信装置の構成を示すブロック図
【図５】本発明の実施の形態２における視聴エラー情報生成部の処理を示すフローチャート
【図６】本発明の実施の形態３における放送受信装置の構成を示すブロック図
【図７】本発明の実施の形態３における視聴エラー情報蓄積部の処理を示すフローチャート
【図８】本発明の実施の形態４における放送受信装置の構成を示すブロック図
【図９】本発明の実施の形態４における視聴エラー情報蓄積部の処理を示すフローチャート
【図１０】本発明の実施の形態５における放送受信装置の構成を示すブロック図
【図１１】本発明の実施の形態５における視聴エラー情報蓄積部の処理を示すフローチャート
【図１２】本発明の実施の形態６における放送受信装置の構成を示すブロック図
【図１３】本発明の実施の形態６における視聴エラー情報圧縮部の処理を示すフローチャート
【図１４】本発明の実施の形態６における視聴エラー情報圧縮部の視聴エラー情報の記録装置への圧縮記録の処理を示すフローチャート
【図１５】本発明の実施の形態７における放送受信装置の構成を示すブロック図
【図１６】本発明の実施の形態７における視聴エラー情報圧縮部の処理を示すフローチャート
【図１７】本発明の実施の形態８における放送受信装置の構成を示すブロック図
【図１８】本発明の実施の形態８における視聴エラー情報送出タイミング切替部の処理を示すフローチャート
【図１９】本発明の実施の形態９における放送受信装置の構成を示すブロック図
【図２０】本発明の実施の形態９における視聴エラー情報送出タイミング切替部の処理を示すフローチャート
【図２１】本発明の実施の形態１０における放送受信装置の構成を示すブロック図
【図２２】本発明の実施の形態１０におけるエラー処理制御部の処理を示すフローチャート
【図２３】本発明の実施の形態１１における放送受信装置の構成を示すブロック図
【図２４】本発明の実施の形態１１におけるエラー処理制御部の処理を示すフローチャート
【符号の説明】
【０２５５】
１  放送受信アンテナ
２  チューナ/復調部
３  ストリーム分離部
４  デコード部
５  デコードエラー検出部
６  表示装置
７  番組情報管理部
８  視聴エラー情報生成部
９  時間管理部
１０  端末固有情報管理部
１１  視聴エラー情報送信部
１２  チューナ/復調エラー検出部
１３  視聴エラー情報蓄積部
１４  記録装置
１５  外部入力Ｉ／Ｆ部
１６  視聴エラー情報圧縮部
１７  視聴エラー情報送出タイミング切換え部
１８  エラー処理制御部
Ｄ１  ＲＦ信号
Ｄ２  多重ストリーム
Ｄ３  ストリーム
Ｄ４  映像信号
Ｄ５  番組情報
Ｄ６，Ｄ６′  デコードエラー
Ｄ７  日時情報要求信号
Ｄ８  日時情報
Ｄ９  視聴番組情報要求信号
Ｄ１０  視聴番組情報
Ｄ１１  端末識別情報要求信号
Ｄ１２  端末識別情報
Ｄ１３，Ｄ１４  視聴エラー情報
Ｄ２０  チューナ／復調エラー
Ｄ２１〜Ｄ２３  視聴エラー情報
Ｄ２４  送信エラー信号
Ｄ２５  送信完了信号
Ｄ２６，Ｄ２８  送信禁止信号
Ｄ２７，Ｄ２９  送信許可信号
Ｄ１４ａ，Ｄ３１〜Ｄ３３  圧縮された視聴エラー情報
Ｄ４１  送信要求時間
Ｄ４２  送信要求信号
Ｄ５１  即時送出信号
Ｄ５２  蓄積送出信号
Ｄ６１，Ｄ６２  視聴エラー情報
Ｄ８１，Ｄ８２  視聴エラー情報
Ｄ９１  エラー処理許可信号
Ｄ９２  エラー処理禁止信号
【図１】
2008271022.tif 000003
【図２】
2008271022.tif 000004
【図３】
2008271022.tif 000005
【図４】
2008271022.tif 000006
【図５】
2008271022.tif 000007
【図６】
2008271022.tif 000008
【図７】
2008271022.tif 000009
【図８】
2008271022.tif 000010
【図９】
2008271022.tif 000011
【図１０】
2008271022.tif 000012
【図１１】
2008271022.tif 000013
【図１２】
2008271022.tif 000014
【図１３】
2008271022.tif 000015
【図１４】
2008271022.tif 000016
【図１５】
2008271022.tif 000017
【図１６】
2008271022.tif 000018
【図１７】
2008271022.tif 000019
【図１８】
2008271022.tif 000020
【図１９】
2008271022.tif 000021
【図２０】
2008271022.tif 000022
【図２１】
2008271022.tif 000023
【図２２】
2008271022.tif 000024
【図２３】
2008271022.tif 000025
【図２４】
2008271022.tif 000026